(57)【要約】【課題】遊技球の転動を阻害することなく、新規な装飾態様を得る。【解決手段】装飾部材２０の裏蓋部材３８における右装飾板４８ｂに、前後に開放する開口部５２が形成されると共に、右装飾板４８ｂの裏側に基板ホルダが配設される。基板ホルダに設けられて前側に突出する突出部５４ａが開口部５２内に臨んで、第１の切欠部５６が画成される。第１の切欠部５６の開口寸法は、遊技球１６の裏側への通過を許容しない値に設定される。基板ホルダに第１の発光手段５８を実装した第１の基板６０が配設され、該基板６０や発光手段５８あるいは他の電子部品や配線等が、第１の切欠部５６を介して露出して、パチンコ機の前側から直に視認し得る。【選択図】  図３
2004222872.tif 000002
【特許請求の範囲】
【請求項１】
機内にセットされる遊技盤の盤面上に画成された遊技領域に遊技球を打出して所要の遊技を行なわせる遊技機において、
前記遊技領域に打出された前記遊技球が転動する盤面に切欠部が形成され、該切欠部を介して盤裏側に配設された基本的電気素子または機械式可動部品を露出させると共に、前記切欠部の開口寸法は、前記遊技球の裏側への通過を許容しない値に設定されている
ことを特徴とする遊技機。
【請求項２】
前記遊技盤における遊技球の非転動領域に別の切欠部が形成され、該切欠部を介して盤裏側に配設された基本的電気素子または機械式可動部品を露出させている請求項１記載の遊技機。
【請求項３】
機内にセットされる遊技盤の盤面上に画成された遊技領域に遊技球を打出して所要の遊技を行なわせる遊技機において、
前記遊技領域に配設された装飾部材における遊技球が転動可能な転動領域に切欠部が形成され、該切欠部を介して装飾部材の裏側に配設された基本的電気素子を露出させると共に、前記切欠部の開口寸法は、前記遊技球の裏側への通過を許容しない値に設定されている
ことを特徴とする遊技機。
【請求項４】
前記装飾部材には、図柄を変動表示させて遊技演出を行なう図柄表示装置が臨み、該図柄表示装置の周囲に位置する装飾部材の転動領域に前記切欠部が形成されている請求項３記載の遊技機。
【請求項５】
前記装飾部材における遊技球の非転動領域に別の切欠部が形成され、該切欠部を介して装飾部材の裏側に配設された基本的電気素子を露出させている請求項３または４記載の遊技機。
【請求項６】
前記基本的電気素子は、基板、該基板に実装された電子部品あるいは電気配線である請求項１〜５の何れかに記載の遊技機。
【請求項７】
機内にセットされる遊技盤の盤面上に画成された遊技領域に遊技球を打出して所要の遊技を行なわせる遊技機において、
前記遊技領域に配設された装飾部材における遊技球が転動可能な転動領域に切欠部が形成され、該切欠部を介して装飾部材の裏側に配設された機械式可動部品を露出させると共に、前記切欠部の開口寸法は、前記遊技球の裏側への通過を許容しない値に設定されている
ことを特徴とする遊技機。
【請求項８】
前記装飾部材には、図柄を変動表示させて遊技演出を行なう図柄表示装置が臨み、該図柄表示装置の周囲に位置する装飾部材の転動領域に前記切欠部が形成されている請求項７記載の遊技機。
【発明の詳細な説明】
【０００１】
【発明の属する技術分野】
この発明は、機内にセットされる遊技盤の盤面上に画成された遊技領域に遊技球を打出して所要の遊技を行なわせる遊技機に関するものである。
【０００２】
【従来の技術】
パチンコ機、アレンジボール機あるいはパチンコ式スロットマシン等の遊技機では、機内にセットされる遊技盤の盤面に画成した遊技領域の略中央位置に装飾部材が配設されて、該装飾部材に形成した開口部から液晶式やドラム式等の図柄表示装置を臨ませ、この図柄表示装置で図柄組合わせゲームに伴うリーチ演出等の主たる遊技演出を行なうようになっている。このような図柄組合わせゲームを行なう遊技機においては、該遊技機の形状を他メーカの遊技機に比べて特異な形状としたり、遊技盤面に目立つような装飾部材を配設する等により、そのデザイン性の差別化を図り、遊技者が親しみ易く、遊び心を高揚させるよう努めている。
【０００３】
また、前記装飾部材においては、遊技機や図柄表示装置で変動する図柄等のモチーフとされているキャラクターに関連する絵柄が印刷されたフィルム等を貼って意匠的な調和を図ることなどが行なわれる。更には、キャラクターあるいはそれに関連する立体的な意匠体を配設することも行なわれる（例えば、特許文献１参照）。
【０００４】
更にまた、遊技機のモチーフとされているキャラクターを象った人形等を、遊技演出に合わせて動作可能とした演出用可動体を遊技盤に配設するものも提案されている（例えば、特許文献２参照）。
【０００５】
【特許文献１】
特開２００２−８３１号公報
【特許文献２】
特開２００２−２３９０９６号公報
【０００６】
【発明が解決しようとする課題】
しかし、平面的な絵柄だけではリアリティに欠け、遊技者に対するアピール度に乏しい。また、立体的な意匠体や演出用可動体では、リアリティを向上して遊技者の遊び心を高揚させることはできるが、該立体的な意匠体や演出用可動体を、前記遊技盤の盤面や装飾部材における遊技球が転動する転動領域に配設する場合には、該遊技球の円滑な転動を阻害したり、詰まり等が発生することがないように配慮する必要があり、設計が煩雑でその配設位置も限定される難点が指摘される。
【０００７】
【発明の目的】
本発明は、前述した従来の技術に内在している前記課題に鑑み、これを好適に解決するべく提案されたものであって、遊技球の転動を阻害することなく新規な装飾態様が得られる遊技機を提供することを目的とする。
【０００８】
【課題を解決するための手段】
前述した課題を克服し、所期の目的を好適に達成するため、本願の請求項１に係る発明は、
機内にセットされる遊技盤（Ｊ）の盤面上に画成された遊技領域（Ｉ）に遊技球（１６）を打出して所要の遊技を行なわせる遊技機において、
前記遊技領域（Ｉ）に打出された前記遊技球（１６）が転動する盤面に切欠部（９４）が形成され、該切欠部（９４）を介して盤裏側に配設された基本的電気素子（９６）または機械式可動部品（９７）を露出させると共に、前記切欠部（９４）の開口寸法は、前記遊技球（１６）の裏側への通過を許容しない値に設定されていることを特徴とする。
【０００９】
また請求項２に係る発明では、前記遊技盤（Ｊ）における遊技球（１６）の非転動領域に別の切欠部が形成され、該切欠部を介して盤裏側に配設された基本的電気素子または機械式可動部品を露出させている。
【００１０】
前述した課題を克服し、所期の目的を好適に達成するため、本願の請求項３に係る発明は、
機内にセットされる遊技盤（Ｊ）の盤面上に画成された遊技領域（Ｉ）に遊技球（１６）を打出して所要の遊技を行なわせる遊技機において、
前記遊技領域（Ｉ）に配設された装飾部材（２０）における遊技球（１６）が転動可能な転動領域（５０）に切欠部（５６）が形成され、該切欠部（５６）を介して装飾部材（２０）の裏側に配設された基本的電気素子（６０）を露出させると共に、前記切欠部（５６）の開口寸法は、前記遊技球（１６）の裏側への通過を許容しない値に設定されていることを特徴とする。
【００１１】
また請求項４に係る発明では、前記装飾部材（２０）には、図柄を変動表示させて遊技演出を行なう図柄表示装置（Ｋ）が臨み、該図柄表示装置（Ｋ）の周囲に位置する装飾部材（２０）の転動領域（５０）に前記切欠部（５６）が形成されている。
【００１２】
更に請求項５に係る発明では、前記装飾部材（２０）における遊技球（１６）の非転動領域（７３）に別の切欠部（７０，７１ｂ）が形成され、該切欠部（７０，７１ｂ）を介して装飾部材（２０）の裏側に配設された基本的電気素子（７４）を露出させている。
【００１３】
更にまた、請求項６に係る発明では、前記基本的電気素子は、基板（６０，７４，９６）、該基板（６０，７４，９６）に実装された電子部品（９３）あるいは電気配線としてある。
【００１４】
前述した課題を克服し、所期の目的を好適に達成するため、本願の請求項７に係る発明は、
機内にセットされる遊技盤（Ｊ）の盤面上に画成された遊技領域（Ｉ）に遊技球（１６）を打出して所要の遊技を行なわせる遊技機において、
前記遊技領域（Ｉ）に配設された装飾部材（２０）における遊技球（１６）が転動可能な転動領域（５０）に切欠部（９１）が形成され、該切欠部（９１）を介して装飾部材（２０）の裏側に配設された機械式可動部品（９２）を露出させると共に、前記切欠部（９１）の開口寸法は、前記遊技球（１６）の裏側への通過を許容しない値に設定されていることを特徴とする。
【００１５】
また請求項８に係る発明では、前記装飾部材（２０）には、図柄を変動表示させて遊技演出を行なう図柄表示装置（Ｋ）が臨み、該図柄表示装置（Ｋ）の周囲に位置する装飾部材（２０）の転動領域に前記切欠部（９１）が形成されている。
【００１６】
【作用】
本発明に係る遊技機では、遊技領域に打出された遊技球が転動する盤面に形成した切欠部、あるいは遊技領域に配設された装飾部材における遊技球の転動領域に形成した切欠部を介して、盤裏側あるいは装飾部材の裏側に配設された基本的電気素子や機械式可動部品が露出する。すなわち、意匠部材を別途配設するものとは異なる新規な装飾態様が得られ、視覚的な演出効果が向上する。また、遊技球が切欠部から裏側へ通過しないよう該切欠部の開口寸法が設定されているから、切欠部の形成位置は限定されず、設計の自由度が増す。更に、遊技盤あるいは装飾部材の非転動領域に別の切欠部を形成し、該切欠部を介して盤裏側あるいは装飾部材の裏側に配設された基本的電気素子や機械式可動部品を露出することで、より視覚的な演出効果が向上する
【００１７】
【発明の実施の形態】
次に、本発明に係る遊技機につき、好適な実施例を挙げて、添付図面を参照しながら以下詳細に説明する。なお、本実施例では、遊技機としてパチンコ機を例に挙げて説明するが、遊技機としてはアレンジボール機あるいはパチンコ式スロットマシン等であってもよい。また、明細書中において、「基本的電気素子」とは、基板自体、該基板に実装される抵抗やコンデンサ等の各種電子部品、および基板に接続される電気配線等を総称するものとして使用している。
【００１８】
図１に示す実施例に係るパチンコ機Ｐの機内に配設された遊技盤Ｊには、その盤面に、略円形状に湾曲形成したレール１０が配設されて、該レール１０の内部に遊技領域Ｉが画成されている。そして、パチンコ機Ｐの打球発射装置を作動する操作ハンドル１２の操作により、上球皿１４に貯留されている遊技球１６が、前記レール１０に沿って遊技領域Ｉに打出され、該領域Ｉを流下するよう構成される。
【００１９】
前記遊技領域Ｉ内の盤面には、図２に示す如く、縦央やや下部に、遊技球１６をスイッチで検出し得る始動入賞具１８が配設されると共に、この始動入賞具１８の直上方には遊技盤Ｊを装飾する大型の装飾部材２０が配設され、また始動入賞具１８の直下方には大型電動式の入賞装置２２が配設されている。そして、前記装飾部材２０の内側略中央に開設した後述の窓部３８ａに、前記始動入賞具１８への遊技球１６の通入に応じて図柄を変動表示させ、所要の図柄組合わせゲーム（主たる遊技演出）を行なう図柄表示装置Ｋが後方から臨んでいる。なお、前記遊技領域Ｉ内の盤面には、遊技球１６の流れに変化を与えて前記始動入賞具１８や入賞装置２２へ誘導する多数の釘２４が打設されている。また、図２中の符号２６はアウト口を示す。
【００２０】
前記入賞装置２２は、図柄表示装置Ｋの大当り成立時に対する特別遊技状態として、開成作動条件が付与される大型の入賞装置であって、特別入賞具２８に対設された扉状の開閉扉３０が、後側の電磁ソレノイドに係る設定駆動条件に基づいて、通常の閉鎖状態から開放状態に変化されるようになっている。そして、特別入賞具２８の後側内部にセーフ球用のカウントスイッチと、開放作動継続用の特別スイッチ（Ｖスイッチ）が組込まれている（何れも図示せず）。なお、入賞装置２２の左右両側に、普通入賞具３２，３２が設けてある。また、始動入賞具１８および入賞装置２２の左右両側には、遊技状態に応じて照射パターンが変更制御される電飾装置３４，３４が配設されている。
【００２１】
前記装飾部材２０は、図２および図３に示す如く、遊技領域Ｉの略中央に配設されて、該領域Ｉの左右幅方向の大部分を占める大型のものであって、この装飾部材２０は、横長の略楕円筒状に形成された本体枠３６と、該本体枠３６の後側に配設されてその後方開口部に取着整合された裏蓋部材３８とから基本的に構成される。前記本体枠３６には、図４に示す如く、その前側外周縁の略全周に所定厚みのフランジ３６ａが一体形成されている。そして、前記遊技盤Ｊにルータ加工により形成された装着孔（図示せず）に、該本体枠３６が前側から挿入されて、そのフランジ３６ａを遊技盤Ｊの盤面に当接した状態で、該フランジ３６ａの複数箇所をネジ等により盤面にネジ止めすることで、当該装飾部材２０はフランジ３６ａの前面が盤面と略面一となった状態で遊技盤Ｊに装着される。なお、フランジ３６ａの厚みは、遊技盤Ｊの盤面を流下する遊技球１６の流れを阻害することのない寸法に設定され、該フランジ３６ａの前面も遊技領域Ｉを構成するようになっている。
【００２２】
前記本体枠３６の上部における正面右側に偏った位置に、後述する第１の演出用可動体８４が収容されるケース体４０が一体的に形成されている。このケース体４０は、図４に示す如く、前後に開放すると共にその前側外周縁の略全周にフランジ４０ａが形成され、本体枠３６と同様に前記装着孔に前側から挿入されて、そのフランジ４０ａを遊技盤Ｊの盤面に当接した状態で、該フランジ４０ａが盤面に複数箇所でネジ止めされている。なお、ケース体４０におけるフランジ４０ａの前面は、前記本体枠３６のフランジ３６ａと同様に、遊技盤Ｊの盤面と略面一となるよう設定され、該ケース体４０のフランジ４０ａの前面が、遊技領域Ｉの一部を構成するようになっている。また、ケース体４０の遊技領域Ｉ内に臨む前面開口部４０ｂには、後側から着脱可能に挿入された透明なアクリル樹脂製の透視板４２が臨んで、該前面開口部４０ｂを閉塞している。この透視板４２の前面は、ケース体４０におけるフランジ４０ａの前面と面一に設定されて、該フランジ４０ａと共に遊技球１６が流下する遊技領域Ｉの一部を構成している。なお、透視板４２は透明であり、ケース体４０に収容された前記第１の演出用可動体８４を前側から透視可能に遊技球から保護するべく機能する。
【００２３】
前記裏蓋部材３８の中央内部には、図５に示す如く、前端面から後方へ延在する矩形筒状の窓部３８ａが形成され、この窓部３８ａに、前記図柄表示装置Ｋの図柄表示部４４が後側から臨むよう構成される。また装飾部材２０の左端部に、図３に示す如く、コイル状に形成されたワープ部材４６が配設され、遊技盤Ｊの盤面上を流下する遊技球１６は、該ワープ部材４６を介して装飾部材２０における本体枠３６で囲われた内部空間Ｓに導入されるようになっている。前記裏蓋部材３８における図柄表示部４４の周囲に位置する装飾板４８は、該図柄表示部４４に対する位置関係で、上装飾板４８ａ、右装飾板４８ｂ、左装飾板４８ｃおよび下装飾板４８ｄから構成され、上装飾板４８ａは、他の装飾板４８ｂ，４８ｃ，４８ｄに対して所定長さだけ前方に突出している。そして、本体枠３６で囲われた内部空間Ｓに臨む裏蓋部材３８の上装飾板４８ａを除く他の装飾板４８ｂ，４８ｃ，４８ｄの前面が、該内部空間Ｓに導入された遊技球１６が転動可能な転動領域５０を構成するようになっている。
【００２４】
前記裏蓋部材３８における装飾板４８の右装飾板４８ｂに、前後に開放する所定寸法の開口部５２が形成されると共に、該右装飾板４８ｂの裏側に基板ホルダ５４が配設されている。そして、この基板ホルダ５４に設けられて前側に突出する突出部５４ａが、図３および図６に示すように前記開口部５２内に臨んで、当該開口部５２と突出部５４ａの間に第１の切欠部５６を画成するよう構成される。なお、突出部５４ａの前面は、右装飾板４８ｂの前面と面一となっており、該突出部５４ａの前面を遊技球１６が支障なく転動し得るようにしてある。また、第１の切欠部５６の開口寸法は、遊技球１６の裏側への通過を許容しない値（遊技球１６の直径より小さい値）に設定され、該遊技球１６が第１の切欠部５６の前側を支障なく転動し得るよう構成される。ちなみに、遊技球１６の直径が１１ｍｍである場合では、前記遊技球１６の裏側への通過を許容しない値とは、例えば１１ｍｍ未満となる。
【００２５】
前記基板ホルダ５４には、ＬＥＤ等の複数の第１の発光手段５８を実装した第１の基板６０が配設され、該発光手段５８、あるいは第１の基板６０、他の電子部品や配線等の基本的電気素子が、前記第１の切欠部５６を介して露出して、パチンコ機Ｐの前側から直に視認し得るようになっている。但し、第１の発光手段５８は、第１の切欠部５６から前方に突出するものではなく、該切欠部５６の前側を転動する遊技球１６に接触して破損することはないよう構成される。また第１の基板６０に実装された第１の発光手段５８は、遊技状態に応じて点灯・消灯（点滅）制御される。更に、左右の装飾板４８ｂ，４８ｃおよび下装飾板４８ｄには、その所要領域に半透明のカバー体６２が夫々嵌め込まれて、各装飾板４８ｂ，４８ｃ，４８ｄの裏側に配設したＬＥＤ等の発光手段（図示せず）による照明演出を表示し得るようになっている。
【００２６】
前記装飾部材２０における前記内部空間Ｓに臨む本体枠３６の上側装飾板６４には、その前側に、中央部を挟んで左右に略円弧状に形成されたランプレンズ６６，６６が配設されると共に、両レンズ６６，６６の間に第１の装飾体６８が配設されている。この第１の装飾体６８には、キャラクターの名称等がくり抜かれ、当該部分の裏側に色付きの板材が配設されて、該名称等が目立つようにしてある。また、第１の装飾体６８の下側に臨む上側装飾板６４には、図３および図７に示す如く、所要開口寸法の第２の切欠部（別の切欠部）７０が形成され、該切欠部７０を介して裏側に配設された後述の第２の基板７４やこれに実装された各種の電子部品９３あるいは配線等の基本的電気素子が露出するよう構成される。更に、前記上側装飾板６４の前側には、第２の切欠部７０を挟んで第２の装飾体７１と第３の装飾体７２とが左右に離間して配設されている。なお、前記本体枠３６における上側装飾板６４は、前記裏蓋部材３８の上装飾板４８ａより更に前側に突出しており、その前面は前記内部空間Ｓに導入された遊技球１６が転動しない非転動領域７３となっている。
【００２７】
図４に示す如く、前記第２の装飾体７１には、４つの第１前側通孔７１ａが左右方向に所定間隔離間して穿設されると共に、これら４つの第１前側通孔群の左側（第３の装飾体７２の配設側とは反対側）に、複数の第３の切欠部（別の切欠部）７１ｂが形成されている。なお、４つの第１前側通孔７１ａの内、前記第２の切欠部７０側に位置する第１前側通孔７１ａは、その一部が第２の切欠部７０に沿って切欠かれている。また、前記本体枠３６における上側装飾板６４には、前記第２の装飾体７１における４つの第１前側通孔７１ａに対応して第１後側通孔６４ａが夫々穿設されると共に、前記ランプレンズ６６，６６に対応する位置に第２後側通孔６４ｂを複数穿設してある。更に、４つの第１後側通孔６４ａの内、第２の切欠部７０側に位置する第１後側通孔６４ａは、その一部が切欠かれて第２の切欠部７０の一部を構成している。なお、第２の装飾体７１における複数の第３の切欠部７１ｂが形成される領域と対応する部分の上側装飾板６４が切欠かれて、各第３の切欠部７１ｂの裏側は開放するようにしてある。
【００２８】
前記第３の装飾体７２には、図４に示す如く、矩形状の前開口部７２ａが穿設されると共に、該前開口部７２ａを囲む４箇所に前通孔７２ｂが夫々穿設されている。また本体枠３６における上側装飾板６４には、第３の装飾体７２における前開口部７２ａおよび各前通孔７２ｂに対応して矩形状の後開口部６４ｃおよび後通孔６４ｄが穿設されて、前後の開口部７２ａ，６４ｃおよび前後の通孔７２ｂ，６４ｄを介して後述する表示手段７９や第３の発光手段８０が視認し得るよう構成される。なお、第３の装飾体７２の配設位置より右側に臨む上側装飾板６４に複数の右側通孔６４ｅが穿設してある。
【００２９】
前記上側装飾板６４の裏側には、多数のＬＥＤ等の発光手段や抵抗等の各種の電子部品９３が実装された第２の基板７４が配設されている。この第２の基板７４には、前後に整列する前記第１前側通孔７１ａと第１後側通孔６４ａとに対応する４つのレンズカバー７５ａを設けた第１レンズホルダ７５が配設され、各レンズカバー７５ａが対応する両通孔７１ａ，６４ａに後側から挿通されている。第２の基板７４の第１レンズホルダ７５が配設される位置に、前記始動入賞具１８に通入されたセーフ球の数に対応する保留数を表示する保留数用発光手段７６が、各レンズカバー７５ａに対応して実装されている。なお、第１レンズホルダ７５における最右側のレンズカバー７５ａは、前記第２の切欠部７０と対応するように一部が切欠かれている。すなわち、前記上側装飾板６４に形成した第２の切欠部７０を介して、保留数用発光手段７６、あるいは第２の基板７４や、これに実装されている抵抗や配線等の基本的電気素子が露出し、パチンコ機Ｐの前側から第２の基板７４等の基本的電気素子を直に視認し得るよう構成される。
【００３０】
前記第２の基板７４における第２の装飾体７１の各第３の切欠部７１ｂと対応する位置に、該第３の切欠部７１ｂを介して露出する第２の発光手段７８が複数実装されており、パチンコ機Ｐの前側から第２の基板７４や第２の発光手段７８を第３の切欠部７１ｂを介して直に視認し得るよう構成される。また第２の基板７４には、前記第３の装飾体７２における前開口部７２ａおよび上側装飾板６４の後開口部６４ｃと対応する位置に、数字等を表示可能な表示手段７９が配設されると共に、該表示手段７９の周囲４箇所に、前記前後の通孔７２ｂ，６４ｄと対応して第３の発光手段８０が夫々実装されている。なお、前記上側装飾板６４には、後開口部６４ｃおよび後通孔６４ｄの形成位置と対応する裏面に、前記第２の基板７４の表示手段７９および第３の発光手段８０に対応するレンズカバーを夫々設けた第２レンズホルダ９０が配設してある。
【００３１】
更に、第２の基板７４には、上側装飾板６４に穿設した各右側通孔６４ｅと対応する位置に第４の発光手段８１が夫々実装されると共に、前記第１の装飾体６８の左右に延在するランプレンズ６６，６６に対応する位置に複数の第５の発光手段８２が実装されている。そして、第２の基板７４に実装された各発光手段７８，８０，８１，８２は、遊技状態に応じて点灯・消灯（点滅）制御される。なお、前記第１、第２および第３の切欠部５６，７０，７１ｂは、何れもその内周面が凹凸状（ガタガタ）に形成され、前記第１の演出用可動体８４等のモチーフにおけるイメージに合ったデザイン、すなわち実施例では破壊されたデザインとしてある。
【００３２】
前記装飾部材２０における本体枠３６には、図３に示す如く、前記第１の装飾体６８を挟む左右両側に位置するランプレンズ６６，６６の上側を覆う庇状の案内部８３が一体的に形成されている。この案内部８３は、本体枠３６のフランジ３６ａおよび前記透視板４２の前面から前方に延出し、遊技領域Ｉに打出されてフランジ３６ａや透視板４２の前面を流下する遊技球１６が、該案内部８３の上面を左右に転動し得るよう構成される。なお、第１の装飾体６８の上面も、遊技球１６が転動する面を構成している。
【００３３】
前記裏蓋部材３８におけるケース体４０の後方開口部に対応する前面位置に、遊技機のモチーフとされているキャラクター、または前記図柄表示装置Ｋでの図柄演出のキャラクターとされている、例えば空想上の怪獣を象った第１の演出用可動体８４が配設されて、該演出用可動体８４は、図柄表示装置Ｋでの図柄組合わせゲーム（遊技演出）に合わせて図示しない作動機構を介して揺動運動するよう構成されている。なお、前記裏蓋部材３８における第１の演出用可動体８４が配設される部位の前面には、該可動体８４のキャラクターに関連する絵を直接印刷したり、あるいは該絵を印刷したシールが貼着される。
【００３４】
図３に示す如く、前記裏蓋部材３８における上装飾板４８ａには、その略中央部および左側部に第２の演出用可動体８５が夫々配設され、両第２の演出用可動体８５，８５は、図柄表示装置Ｋでの図柄組合わせゲーム（遊技演出）に合わせて図示しない作動機構を介して所定の運動を行なうよう構成されている。また上装飾板４８ａの右側に第３の演出用可動体８６が配設され、該演出用可動体８６も、図柄表示装置Ｋでの図柄組合わせゲーム（遊技演出）に合わせて図示しない作動機構を介して所定の動作を行なうよう構成される。実施例では、第２の演出用可動体８５，８５が、前記第１の演出用可動体８４とは別のキャラクターを象った形状とされ、また第３の演出用可動体８６が、第１の演出用可動体８４で象ったキャラクターの一部（例えば手）を構成する形状とされている。
【００３５】
前記装飾部材２０の右側には、図６に示す如く、前記ケース体４０の下端部から延出する取付部８７が一体的に形成され、該取付部８７が、前記遊技盤Ｊの盤面にネジ止め固定されている。この取付部８７の前面は、前記ケース体４０のフランジ４０ａと同様に、遊技盤Ｊの盤面と略面一となるよう設定され、該取付部８７の前面は、前記遊技球１６が流下する遊技領域Ｉの一部を構成している。また取付部８７の前面には、前記第１または第２の演出用可動体８４，８５のキャラクターとは別のキャラクター等が直接印刷あるいは印刷されたシールが貼着された第４の装飾体８８が、所定間隔離間して配設され、該装飾体８８と取付部８７との間に、遊技球１６が上下方向に通過可能な通路８９が形成されるようにしてある。なお、第４の装飾体８８としては、各種のキャラクターを象った立体的な形状としてもよい。
【００３６】
【実施例の作用】
次に、前述した構成に係る実施例のパチンコ機の作用につき説明する。前記操作ハンドル１２の操作に基づく打球発射装置の打球発射作動に伴って、遊技球１６が１球ずつ打出され、該遊技球１６は前記レール１０に沿って転動して前記遊技領域Ｉの上部に至る。この遊技球１６は遊技盤Ｊの盤面上（遊技領域Ｉ）を、前記釘２４により方向を変えられつつ流下し、図２中の始動入賞具１８，入賞装置２２の特別入賞具２８および普通入賞具３２等に入るセーフ球と、アウト口２６に回収されるアウト球とに区分されるパチンコゲームが行なわれる。
【００３７】
また、前記装飾部材２０の案内部８３や第１の装飾体６８上に落下した遊技球１６は、図７に示す如く、該案内部８３や第１の装飾体６８に沿って左右に流下する。この場合において、装飾部材２０の右上部に設けられているケース体４０に配設してある前記透視板４２の前面は、前記遊技盤Ｊの盤面と略面一となっているから、前記遊技球１６は該透視板４２の前面を流下する。すなわち、前記第１の演出用可動体８４の前側を透視可能に保護している透視板４２の前面も、遊技球１６が流下する遊技領域Ｉの一部を構成しているから、該可動体８４を配設することで、実際に遊技球１６が流下する遊技領域Ｉが狭くなることはない。
【００３８】
更に、前記案内部８３に沿って透視板４２の前面を右側に流下した遊技球１６は、前記第４の装飾体８８の後側に形成された通路８９を通過して、更に流下する。すなわち、遊技者の遊び心を高揚させるために第４の装飾体８８を配設しても、遊技球１６が実際に流下する遊技領域Ｉが狭くなることはない。
【００３９】
前記案内部８３に沿って装飾部材２０の左側に流下し、前記釘２４により流下方向が変化された遊技球１６が前記ワープ部材４６に通入すると、該遊技球１６は装飾部材２０の内部空間Ｓに導入される。この遊技球１６は、前記裏蓋部材３８における左右の装飾板４８ｂ，４８ｃおよび下装飾板４８ｄの前面、あるいは前記図柄表示装置Ｋにおける図柄表示部４４の前側を転動し、最終的には下部前側から遊技盤面に流出する。
【００４０】
前記パチンコ機Ｐでは、前記始動入賞具１８に遊技球１６が入った際の前記スイッチからの始動信号入力条件により、図示しない制御回路装置から発生される制御出力に基いて、前記図柄表示装置Ｋの図柄の変動が開始され、所要の図柄組合わせゲームが展開される。そして、該ゲームの演出に応じて、前記第１〜第３の演出用可動体８４，８５，８６が所要の動作を行なう。すなわちパチンコ機Ｐでは、図柄表示装置Ｋにおける遊技演出と、各演出用可動体８４，８５，８６による動的な遊技演出によって、より興趣に富んだ遊技が可能となる。しかも、各演出用可動体８４，８５，８６は、図柄組合わせゲームが展開される最も注目を集める図柄表示装置Ｋの近傍に位置しているから、遊技者は、図柄表示装置Ｋにおける遊技演出と、該演出用可動体８４，８５，８６による動的な遊技演出とを同時に視界に収めたまま遊技を楽しむことができる。
【００４１】
ここで、前記図柄組合わせゲームが展開される前記図柄表示部４４（図柄表示装置Ｋ）の右側に位置する裏蓋部材３８の右装飾板４８ｂや上側に位置する本体枠３６の上側装飾板６４あるいは第２の装飾体７１に切欠部５６，７０，７１ｂが形成されており、装飾部材２０の裏側に配設されている基板６０，７４や発光手段５８，７８、その他の電子部品９３や配線等を、該切欠部５６，７０，７１ｂを介して意図的に露出させている。すなわち、実施例における第１の演出用可動体８４に採用したキャラクターに合致する破壊のイメージを想起させる演出ができ、高い装飾効果を期待できる。殊に、右装飾板４８ｂに形成されている第１の切欠部５６は、前記内部空間Ｓに導入された遊技球１６が転動する転動領域５０に臨んでいるから、該遊技球１６が第１の切欠部５６の前側を転動することにより、前記第１の基板６０や第１の発光手段５８等が遊技者から見え隠れし、新たな演出態様が得られる。しかも、第１の切欠部５６の開口寸法は、遊技球１６が裏側へ通出しない値に設定されているから、内部空間Ｓ内での遊技球１６の円滑な転動が阻害されることはない。言い替えるならば、第１の切欠部５６の形成位置は、内部空間Ｓ内における転動領域５０のどの位置にも形成することができ、設計の自由度が増す。
【００４２】
また、前記各切欠部５６，７０，７１ｂを介して意図的に露出させた発光手段５８，７８や基板６０，７４等の基本的電気素子は、前記図柄表示装置Ｋの図柄演出に関連して実施される遊技演出に実際に使用されるものであり、切欠部５６，７０，７１ｂから露出させるためだけに専用に設けたものではない。従って、新たな装飾演出を実施するために部品点数が増加するものではなく、低コストで演出効果を増大させることができる。しかも、この装飾演出は、前記上側装飾板６４や第２の装飾体７１を切欠くだけの簡単な構成であるので、製造コストを抑制することができる。
【００４３】
【別実施例について】
図８〜図１０は、別実施例に係る遊技機の要部を示すものであって、その基本的な構成は前述した実施例と同一であるので、異なる部分についてのみ説明する。図８に示す第１別実施例では、前記裏蓋部材３８における右装飾板４８ｂに、遊技球１６の裏側への通過を許容しない開口寸法に設定された第４の切欠部９１が形成される。また、該右装飾板４８ｂの裏側に、遊技状態に応じて電磁ソレノイド等の作動手段により作動される機械式可動部品としての第１の補助可動体９２が配設され、該補助可動体９２は、その作動状態に応じて前記第４の切欠部９１から露出したり隠れたりするよう構成される（図８（ａ），（ｂ）参照）。
【００４４】
すなわち、第１別実施例においては、前記内部空間Ｓに導入された遊技球１６が転動する転動領域５０に臨んでいる第４の切欠部９１から、前記第１の補助可動体９２が見え隠れし、かつ該第４の切欠部９１の前側を遊技球１６が横切ることで、今までにはない新規で斬新な演出効果が期待できる。また前述したと同様に、第４の切欠部９１の開口寸法は、遊技球１６が裏側へ通出しない値（遊技球１６の直径未満）に設定されているから、内部空間Ｓ内での遊技球１６の円滑な転動が阻害されることはなく、第４の切欠部９１の形成位置、すなわち第１の補助可動体９２を配設し得る位置の自由度が増す。
【００４５】
図９に示す第２別実施例では、前記遊技領域Ｉに臨む遊技盤Ｊにおける前記遊技球１６が転動する盤面に、該遊技球１６の裏側への通過を許容しない開口寸法に設定された第５の切欠部９４が形成されている。また、第５の切欠部９４の形成位置に対応する盤裏側に、ＬＥＤ等の複数の第６の発光手段９５を実装した基本的電気素子としての第３の基板９６が配設され、該第６の発光手段９５、あるいは第３の基板９６が、前記第５の切欠部９４を介して露出して、パチンコ機Ｐの前側から直に視認し得るようになっている。但し、第６の発光手段９５は、第５の切欠部９４から前方に突出するものではなく、該切欠部９４の前側を転動する遊技球１６に接触して破損することはないよう構成される。また第３の基板９６に実装された第６の発光手段９５は、遊技状態に応じて点灯・消灯（点滅）制御される。
【００４６】
すなわち、第２別実施例においては、前記装飾部材２０とは別位置の遊技盤Ｊの盤面に形成した第５の切欠部９４を介して、裏側に配設されている第３の基板９６や第５の発光手段９５が露出している。しかも、第５の切欠部９４は、前記遊技領域Ｉに打出された遊技球１６が転動する位置に臨んでいるから、該遊技球１６が第５の切欠部９４の前側を転動することにより、前記第３の基板９６や第６の発光手段９５が遊技者から見え隠れし、新たな演出態様が得られる。なお、第３の基板９６に実装された他の電子部品や接続された電気配線（何れも図示せず）等の他の基本的電気素子を、前記第５の切欠部９４から露出させるようにしてもよい。
【００４７】
図１０に示す第３別実施例は、前記遊技領域Ｉに臨む遊技盤Ｊにおける前記遊技球１６が転動する盤面に形成された第５の切欠部９４の形成位置に対応する盤裏側に、第３の基板９６に代えて、遊技状態に応じて電磁ソレノイド等の作動手段により作動される機械式可動部品としての第２の補助可動体９７を配設したものである。この第２の補助可動体９７は、その作動状態に応じて前記第５の切欠部９４から露出したり隠れたりするよう構成され、これによって更に異なる演出効果が期待できる。
【００４８】
なお、第２および第３別実施例における第５の切欠部９４の開口寸法は、遊技球１６が裏側へ通出しない値に設定されているから、遊技球１６の円滑な転動を阻害することなく、該第５の切欠部９４、すなわち第３の基板９６、第６の発光手段９５または第２の補助可動体９７を、遊技領域Ｉのどの位置にも設けることができ、設計の自由度が増す。また、前記レール１０に沿って遊技領域Ｉに打出される遊技球１６の主流路となる遊技領域Ｉの左側は、遊技者が注目する部位であるから、該部位に前記第５の切欠部９４を形成すれば、遊技者の遊び心を的確に高揚させることができる。更に、第５の切欠部９４の形状や、第２の補助可動体９７の形状を、パチンコ機Ｐに描かれたキャラクターや、前記第１の演出用可動体８４に採用したキャラクター等に調和するものとすれば、リアリティーがあり、かつ意匠性を向上し得る。
【００４９】
【変更例】
本願は前述した実施例の構成に限定されるものでなく、その他の構成を適宜に採用することができる。
１．  実施例では、装飾部材の内部空間における遊技球が転動可能な転動領域において、図柄表示部の右側に位置する装飾板にのみ切欠部を形成した場合で説明したが、左側および下側の両方または一方の装飾板に切欠部を形成するものであってもよい。
２．  装飾部材は、本体枠と裏蓋部材とが一体のものであってもよい。
３．  実施例では、裏蓋部材の開口部に基板ホルダの突出部を臨ませることで第１の切欠部を画成したが、右装飾板あるいは他の位置の装飾板に直に第１の切欠部を形成する構成を採用し得る。
４．  実施例では、第２の装飾体に第３の切欠部を形成したが、該装飾体を本体枠の上側装飾板に一体的に設け、該上側装飾板に第３の切欠部を形成することができる。
５．  実施例では、図柄表示装置が内側に臨む装飾部材に各切欠部を形成した場合で説明したが、図柄表示装置が内側に臨まない装飾部材に各切欠部を形成するようにしてもよい。
６．  第２または第３の別実施例の構成は、第１実施例や第１別実施例の構成と併用するものに限定されず、単独で遊技盤に採用するようにしてもよく、この場合であっても新たな演出効果が期待できる。
７．  第２または第３の別実施例では、盤面における遊技球が転動する部位に切欠部を形成したが、遊技盤における遊技球の非転動領域（レールで囲われた遊技領域外、あるいは遊技領域内において釘や他の装飾手段により遊技球が流下しない部位）に更に別の切欠部を形成して、該別の切欠部から盤裏側に配設した基本的電気素子または機械式可動部品等を露出させる構成を採用することで、更に演出効果を向上し得る。
８．  遊技機に採用される図柄表示装置は、液晶式に限らずベルト式やドラム式等の各種の図柄表示装置を採用し得る。
【００５０】
【発明の効果】
以上説明した如く、請求項１の発明に係る遊技機によれば、遊技領域に打出された遊技球が転動する盤面に形成した切欠部を介して、盤裏側に配設した基本的電気素子または機械式可動部品を露出させるよう構成したから、新しい装飾態様を提供することができる。しかも、切欠部の開口寸法は、遊技球が裏側へ通過しない値に設定されているから、該切欠部により遊技球の転動が阻害されるものではない。従って、切欠部の形成位置、すなわち基本的電気素子または機械式可動部品の配設位置は限定されず、計設の自由度が増す。また請求項２の発明に係る遊技機では、遊技盤における遊技球の非転動領域に別の切欠部を形成して、該別の切欠部から盤裏側に配設した基本的電気素子または機械式可動部品を露出させるから、更に演出効果を向上し得る。
【００５１】
請求項３の発明に係る遊技機によれば、装飾部材における遊技球の転動領域に形成した切欠部を介して、装飾部材の裏側に配設した基本的電気素子を露出させるよう構成したから、装飾のための部品を別途配設することなく新しい装飾態様を提供することができる。また、別途専用の装飾部材等を配設する必要はないから、部品点数が増えることはなく、組付け作業性も向上する。しかも、切欠部の開口寸法は、遊技球が裏側へ通過しない値に設定されているから、該切欠部により遊技球の転動が阻害されるものではない。従って、切欠部の形成位置は限定されず、計設の自由度が増す。請求項４の発明に係る遊技機では、遊技者が注目を集める図柄表示装置の周囲に位置する装飾部材に切欠部を形成したから、遊技者の興趣を向上することができる。
【００５２】
また請求項５の発明に係る遊技機では、前記装飾部材における遊技球の非転動領域に別の切欠部を形成し、該切欠部を介して基本的電気素子を露出させるよう構成することで、更なる装飾効果が得られる。なお、請求項６の発明に係る遊技機では、基板や電子部品あるいは電気配線を装飾のための部品として利用するから、装飾のためのコストの上昇を抑制し得る。
【００５３】
更に、請求項７の発明に係る遊技機によれば、装飾部材における遊技球の転動領域に形成した切欠部から、その裏側に配設した機械式可動部品を露出させるよう構成したことで、斬新で新しい装飾態様を提供し得る。しかも、機械式可動部品が遊技球の転動を阻害することはないから、該可動部品を配設し得る位置の自由度が増す。また請求項８の発明に係る遊技機では、遊技者が注目を集める図柄表示装置の周囲に位置する装飾部材に切欠部を形成したから、遊技者は、図柄表示装置における遊技演出と、該機械式可動部品による動的な遊技演出とを同時に視界に収めたまま遊技を楽しむことができる。
【図面の簡単な説明】
【図１】本発明の実施例に係るパチンコ機を示す正面図である。
【図２】実施例に係る遊技盤を示す正面図である。
【図３】実施例に係る装飾部材を示す正面図である。
【図４】実施例に係る装飾部材の本体枠およびこれに取付けられる各部品を分解状態で示す概略斜視図である。
【図５】実施例に係る装飾部材の裏蓋部材およびこれに取付けられる各部品を分解状態で示す概略斜視図である。
【図６】実施例に係る装飾部材における第１の切欠部が形成される部位を示す要部正面図である。
【図７】実施例に係る装飾部材における第２および第３の切欠部が形成される部位を示す要部正面図である。
【図８】第１別実施例に係る装飾部材の要部を示す概略正面図である。
【図９】第２別実施例に係る遊技盤の要部を示す概略正面図である。
【図１０】第３別実施例に係る遊技盤の要部を示す概略正面図である。
【符号の説明】
１６  遊技球
２０  装飾部材
５０  転動領域
５６  第１の切欠部
６０  第１の基板（基本的電気素子）
７０  第２の切欠部（別の切欠部）
７１ｂ  第３の切欠部（別の切欠部）
７３  非転動領域
７４  第２の基板（基本的電気素子）
９１  第４の切欠部
９２  第１の補助可動体（機械式可動部品）
９３  電子部品（基本的電気素子）
９４  第５の切欠部
９６  第３の基板（基本的電気素子）
９７  第２の補助可動体（機械式可動部品）
Ｉ  遊技領域
Ｊ  遊技盤
Ｋ  図柄表示装置
【図１】
2004222872.tif 000003
【図２】
2004222872.tif 000004
【図３】
2004222872.tif 000005
【図４】
2004222872.tif 000006
【図５】
2004222872.tif 000007
【図６】
2004222872.tif 000008
【図７】
2004222872.tif 000009
【図８】
2004222872.tif 000010
【図９】
2004222872.tif 000011
【図１０】
2004222872.tif 000012